(57)【要約】      （修正有）【課題】小玩具やキャラクターフィギユアなど従来より大きい立体的な景品を収納できるとともに、キャップ体と景品包装容器が一体に連設されているので、キャップを飲料缶に嵌着すればそのまま景品付き飲料缶になる飲料缶用キャップを提供する。【解決手段】飲料缶の上面に嵌着する少なくとも１個のキャップ体１と景品収納容器９が一体的に連設されている。景品収納容器９は連設体６を介して垂直方向に折り曲げられる。【選択図】図１
0003107447.tif 000002
【実用新案登録請求の範囲】
【請求項１】
飲料缶の上面に嵌着する少なくとも１個のキャップ体と、景品収納容器が一体的に連設されており、その景品収納容器は連設体を介して垂直方向に折り曲げられるように構成されている景品付き飲料缶用キャップ。
【請求項２】
キャップ体は、直径が異なる２種類の缶口径と嵌着できる上部周壁面と下部周壁面に形成してある請求項１に記載の景品付き飲料缶用キャップ。
【請求項３】
景品収納容器は、上面を開口部とした方形状の底体と蓋体が連結片で連結されており、蓋体の上部開口部を底体の上部開口部と腹合せ状に合わし、係合凹凸具の係脱により蓋体を開閉自在にしてある請求項１または請求項２に記載の景品付き飲料缶用キャップ。
【考案の詳細な説明】
【技術分野】
【０００１】
本発明は、飲料缶の上面に嵌着するキャップと景品を収納する包装容器を一体的に連設した景品付き飲料缶用キャップに関するものである。
【背景技術】
【０００２】
従来から、清涼飲料水、ジュース、コーヒー、お茶あるいはビール、酎ハイなどのアルコール飲料などはアルミ缶やスチール缶に入った状態で販売されているのが多い。これらの飲料品の販売促進を目的として、キャンペーン期間に景品を付属して販売することにより顧客の購買意欲をそそり、販売促進を図っている。
【０００３】
そのような景品付き飲料缶としては、例えば、飲料缶の上部周縁から僅かに窪んでいる天板の凹部や底板の凹部に景品を配置し、三叉形状や十字形状あるいは円形状に形成された底の浅い保持片で景品を保持するものがある（特許文献１参照）。
または、飲料缶の上端部に短円筒形のキャップ体を嵌着することにより、天板とキャップ体とで囲まれる空間部を景品収容空間としたものがある（特許文献２，３参照）。
さらには、蓋材と身材とからなる円筒形容器の前記身材の底部に設けられた脚部を飲料缶の上部巻き締め縁に係合し、円筒形容器内に景品を封入すると共に、飲料缶と円筒形容器を熱収縮フイルムでシュリンク包装されたものがある（特許文献４参照）。
【０００４】
【特許文献１】特開平１０−２５０７４２号公報
【特許文献２】登録実用新案第３０５１８７６号公報
【特許文献３】特開２００４−９９１３０号公報
【特許文献４】特開平１０−３０５８４１号公報
【考案の開示】
【考案が解決しようとする課題】
【０００５】
しかしながら、前記の特許文献１は、景品が飲料缶の上部周縁から僅かに窪んでいる天板の凹部や底板の凹部に納まる大きさのものに限られる。すなわち、凹部から突出するような厚い立体的なものは適さず、カード、シール、写真など薄いシート状のものか、扁平体の景品に限られるていた。また、三叉形状や十字形状の保持部の係止片と巻き締め縁による係合が外れやすく景品が飛び出てしまうと言った問題点があった。
【０００６】
また、特許文献２、３は、前記特許文献１よりも厚い立体的な景品を収容できるが、それでも限られた小玩具などに限定されると共に、天板に景品を載せる作業、キャップ体を嵌着する時に景品が動いたりして嵌着作業を邪魔しないようにするなど景品収容作業に手間を要するため、コスト高になると言った問題点があった。
【０００７】
さらに、特許文献４は、身材の底部の脚部と飲料缶の巻き締め縁との係合作業時に、身材を垂直に被せなければ係合しないばかりでなく、蓋材とも係合しなければならず嵌着作業に時間がかかった。さらに、飲料缶と円筒形状容器を熱収縮フイルムでシュリンク包装して一体化するので、包装作業の工程が増えることになり、コストアップと共に生産効率が悪くなると言った問題点があった。
【０００８】
また、上記の特許文献１〜４は、いずれも飲料缶１本について景品１個を付属する場合に適したものであるが、例えば、飲料缶１本の購入では景品の付属はなく、２本購入すると景品が付属すると言うような時には適していなかった。
【０００９】
本考案は、上記の問題を解決することを課題として研究開発されたもので、小玩具やキャラクターフィギユアなど従来より大きい立体的な景品を収納できると共に、キャップ体と景品包装容器が一体に連設されているので、キャップを飲料缶に嵌着すればそのまま景品付き飲料缶になる飲料缶用キャップを提供することを目的とするものである。
【課題を解決するための手段】
【００１０】
上記の課題を解決し、その目的を達成する手段として、本考案は、飲料缶の上面に嵌着する少なくとも１個のキャップ体と、景品収納容器が一体的に連設されており、その景品収納容器は連設体を介して垂直方向に折り曲げられるように構成されている景品付き飲料缶用キャップを開発し、採用した。
【００１１】
また、上記のように構成した本考案の景品付き飲料缶用キャップにおいて、  キャップ体は、直径が異なる２種類の缶口径と嵌着できる上部周壁面と下部周壁面に形成してある景品付き飲料缶用キャップ、および景品収納容器は、上面を開口部とした方形状の底体と蓋体が連結片で連結されており、蓋体の上部開口部を底体の上部開口部と腹合せ状に合わし、係合凹凸具の係脱により蓋体を開閉自在にしてある景品付き飲料缶キャップを開発し、採用した。
【考案の効果】
【００１２】
本考案は、飲料缶の上面に嵌着する少なくとも１個のキャップ体と景品を収納する包装容器が一体的に連設されているから、景品を収納容器に収納してキャップ体を飲料缶に嵌着すればそのまま景品付き飲料缶になる。そのキャップ体は飲料缶の上部に被せ軽く押せば嵌着できることから、スーパーやコンビニなどの販売店で簡単に行うことができ、景品収納容器を低コストで提供できる。
【００１３】
また、飲料缶にキャップ体を嵌着した後、景品収納容器は連設体の折り線を介して垂直方向に折り曲げられるので飲料缶の側面に沿うことになり場所をとることがない。
【００１４】
また、キャップ体は缶口径が異なる２種類の飲料缶に対応できる上部周壁面と下部周壁面に形成されているので、大口径、小口径の飲料缶にでも対応できる便利さがある。
【００１５】
さらに、景品包装容器は方形状の底体と蓋体の上部開口部を腹合せ状としてあるから、比較的深さがあって、従来の景品より大きい小玩具や立体的なキャラクターフィギユアなどの景品を収納できると共に、収納された景品は、従来のような飲料缶に直接当ることがないので、景品を傷めたり騒音等の発生することがない。さらに、係合凹凸具の係脱により蓋体を開閉自在にしてあるから、景品の出し入れが非常に便利になる。
【考案を実施するための最良の形態】
【００１６】
以下に、本考案の第１実施の形態を添付図面に基づいて説明すれば、１はポリスチレンなどの柔軟な合成樹脂製からなる飲料缶Ｃの上面に嵌着する円形状のキャップ体であり、天板２の周縁に下方に向けて周壁面３を一体的に設けてあり、その周壁面３の内周面に、例えば缶口直径（４８ｍｍ）の小口径の缶が嵌合する上部周壁面４と、缶口直径（５２ｍｍ）の大口径の缶が嵌合する下部周壁面５を形成してあり、その上部周壁面４および下部周壁面５の周方向の５箇所に係止突条４ａ……４ａ、５ａ……５ａを突設してある。
【００１７】
６はキャップ体１の下端開口部７の一側面から突出する連設体であり、その一端部に上部ヘッダー８を一体的に取付けると共に、景品包装容器９の底体１０と蓋体１１が連結片１２で連結されている。底体１０および蓋体１１は、方形状に形成されており、それぞれ上面を開口部１０ａ，１１ａとした一定深さを有している。そして、連結片１２の折り目１２ａによって蓋体１１の上面開口部１１ａが底体１０の上面開口部１０ａと腹合せ状になる。１３は蓋体１１に連設する下部ヘッダー、１４は上部ヘッダー８に設けた係合凸部、１５は下部ヘッダー１３に設けた係合凹部である。
【００１８】
このように構成した本考案の使用状態を作用、効果と共に説明すれば、景品包装容器９の蓋体１１が開放された状態で、景品Ｐを底体１０に収容して蓋体１１を図２の矢印方向に回動して下部ヘッダー１３の係合凹部１５，１５を、上部ヘッダー８の係合凸部１４，１４に係合する。景品包装容器９は底体１０と蓋体１１を腹合せ状に合わしてあるから、比較的厚さがあり立体的な景品Ｐを納めることができ、収められた景品Ｐは飛び出たりすることがなくなると共に、景品包装容器９は柔軟な合成樹脂製であるから景品を傷つけることがない。
【００１９】
景品Ｐが収容されるとキャップ体１を飲料缶Ｃの上面に被せ、軽く押すと係止突条５ａ……５ａが弾性変形して飲料缶Ｃの巻き縁１６と係合する。この時、従来のように、天板部に景品Ｐがないことからキャップ体１を簡単に嵌めることができる。そして、連設体６の折り目６ａから折って景品包装容器９を垂直状態にすることにより飲料缶Ｃの側壁面に沿うことになりスペースをとらない。キャップ体１および包装用容器９は合成樹脂の型成形で一体成形でき、大量生産できることから安価に提供できる。
【００２０】
図５〜図７に示すものは、本考案の第２実施の形態を説明するもので、前記第１実施の形態と異なるのは、飲料缶Ｃに嵌着するキャップ体１を上下２個連設した点が異なっているだけで、キャップ体１および景品包装容器９の構造は前記実施の形態１と同一であるから、同一部分には同一符号を付して説明は省略する。
【００２１】
この第２実施の形態によれれば、飲料缶Ｃ，Ｃを２本購入しなければ景品Ｐが付属しない点でのみ第1実施の形態と相違しており、その他の作用、効果は第1実施の形態の場合と全く同一である。
【００２２】
以上、本考案の主要な実施の形態について説明したが、本考案は、これらの実施の形態に限定されるものではなく、考案の目的を達成でき、且つ考案の要旨を逸脱しない範囲内で種々の設計変更が可能であることは当然である。
【産業上の利用可能性】
【００２３】
本考案は、清涼飲料水、ジュース、コーヒー、お茶だけでなく、ビール、酎ハイなどのアルコール類などの飲料缶や食品を収納した缶容器にも適用することができる。
【図面の簡単な説明】
【００２４】
【図１】本考案の第１実施形態の一例を示す平面図である。
【図２】図１のＡ−Ａ線断面図である。
【図３】景品包装容器の蓋体を閉じた縦断面図である。
【図４】飲料缶に装着した状態の縦断面図である。
【図５】本考案の第２実施形態の一例を示す平面図である。
【図６】図５のＢ−Ｂ線断面図である。
【図７】飲料缶に装着した状態の縦断断面図である。
【符号の説明】
【００２５】
１      キャップ体
４      上部周壁面
５      下部週壁面
６      連設体
９      景品包装容器
１０    底体
１０ａ  底体の上部開口部
１１    蓋体
１１ａ  蓋体の上部開口部
１４    係合凸部
１５    係合凹部
【図１】
0003107447.tif 000003
【図２】
0003107447.tif 000004
【図３】
0003107447.tif 000005
【図４】
0003107447.tif 000006
【図５】
0003107447.tif 000007
【図６】
0003107447.tif 000008
【図７】
0003107447.tif 000009